(57)【要約】【課題】  基地局装置と移動局装置との間で通信される信号を中継する無線中継装置Ａ１で、中継される対象となる移動局装置の変動の様子などを把握することを可能とする。【解決手段】  基地局装置と移動局装置との間で通信される信号には移動局装置の識別情報が含まれる。無線中継装置Ａ１では、通信信号中継手段１〜５、７が基地局装置と移動局装置との間で通信される信号を中継し、これに際して、移動局装置識別情報取得手段６、８、９が通信信号中継手段１〜５、７により中継される信号に基づいて当該信号に含まれる移動局装置の識別情報を取得する。【選択図】  図１
2005167791.tif 000002
【特許請求の範囲】
【請求項１】
基地局装置と移動局装置との間で通信される信号を中継する無線中継装置において、
基地局装置と移動局装置との間で通信される信号には移動局装置の識別情報が含まれており、
当該無線中継装置は、基地局装置と移動局装置との間で通信される信号を中継する通信信号中継手段と、
通信信号中継手段により中継される信号に基づいて当該信号に含まれる移動局装置の識別情報を取得する移動局装置識別情報取得手段と、を備えた、
ことを特徴とする無線中継装置。
【発明の詳細な説明】
【技術分野】
【０００１】
本発明は、基地局装置と移動局装置との間で通信される信号を中継する無線中継装置に関し、特に、例えば移動局装置の識別情報を取得することにより、中継される対象となる移動局装置の変動の様子などを把握することを可能とする無線中継装置に関する。
【背景技術】
【０００２】
例えば、移動体通信システムなどでは、基地局装置と移動局装置との間で無線により通信が行われる。また、基地局装置からの電波が届かないような場所（不感地）については、無線中継装置を設置して、無線中継装置により基地局装置と移動局装置との間の通信を中継することが行われる。
図７には、無線中継装置であるブースタ（Ｂｏｏｓｔｅｒ）装置Ａ２１の一構成例を示してある。当該ブースタ装置Ａ２１は、同図に示されるように、屋外のアンテナ（ＡＮＴ：ＡＮＴＥＮＮＡ）４１と、屋内のアンテナ４２と、２つの送受分波器（ＤＵＰ：Ｄｕｐｌｅｘｅｒ）４３、４５と、２つの増幅器（アンプ）４４、４６を備えている。
また、無線中継装置について、種々な検討が為されている（例えば、特許文献１参照。）。
【０００３】
【特許文献１】特開平１０−２０９９３７号公報
【発明の開示】
【発明が解決しようとする課題】
【０００４】
しかしながら、従来の無線中継装置では、無線中継装置により中継される対象となる移動局装置の変動の様子などを把握することができないといった問題があった。
本発明は、このような従来の事情に鑑み為されたもので、例えば移動局装置の識別情報を取得することにより、中継される対象となる移動局装置の変動の様子などを把握することを可能とする無線中継装置を提供することを目的とする。
【課題を解決するための手段】
【０００５】
上記目的を達成するため、本発明に係る無線中継装置では、基地局装置と移動局装置との間で通信される信号に移動局装置の識別情報が含まれる構成において、次のようにして、基地局装置と移動局装置との間で通信される信号を中継する。
すなわち、通信信号中継手段が基地局装置と移動局装置との間で通信される信号を中継するに際して、移動局装置識別情報取得手段が、通信信号中継手段により中継される信号に基づいて、当該信号に含まれる移動局装置の識別情報を取得する。
従って、中継対象となる信号に含まれる移動局装置の識別情報が取得されることにより、信号の中継対象となる移動局装置の変動の様子などを把握することが可能となり、具体的には、例えば、信号の中継を行う領域に存在する移動局装置を個別に識別することや、信号の中継を行う領域に存在する移動局装置の数を検出することなどができる。
ここで、移動局装置の識別情報としては、種々な情報が用いられてもよく、例えば、各移動局装置に固有な装置番号や管理番号の情報などを用いることができる。
【０００６】
以下で、更に、本発明に係る構成例を示す。
一構成例として、通信信号中継手段は、基地局装置から無線により送信される信号を受信する第１の無線受信手段と、第１の無線受信手段により受信される信号を移動局装置に対して無線により送信する第１の無線送信手段を有して構成される。一構成例として、通信信号中継手段は、移動局装置から無線により送信される信号を受信する第２の無線受信手段と、第２の無線受信手段により受信される信号を基地局装置に対して無線により送信する第２の無線送信手段を有して構成される。
また、無線中継装置と移動局装置との間の通信としては、無線通信が用いられる。また、無線中継装置と基地局装置との間の通信としては、無線通信或いは有線通信が用いられる。
一構成例として、移動局装置識別情報取得手段は、移動局装置から基地局装置への信号（上り信号）から、送信元となる当該移動局装置の識別情報を取得する。一構成例として、移動局装置識別情報取得手段は、基地局装置から移動局装置への信号（下り信号）から、送信先となる当該移動局装置の識別情報を取得する。
【０００７】
一構成例として、移動局装置識別情報取得手段は、通信信号中継手段により中継される信号の一部を取得する中継信号一部取得手段と、中継信号一部取得手段により取得される信号を復調する中継信号一部復調手段と、中継信号一部復調手段による復調結果に基づいて移動局装置の識別情報を検出する移動局装置識別情報検出手段から構成される。
一構成例として、無線中継装置は、移動局装置識別情報取得手段により取得される移動局装置の識別情報を記憶する移動局装置識別情報記憶手段を備える。
一構成例として、無線中継装置は、移動局装置識別情報取得手段により取得される移動局装置の識別情報に基づく解析を行う移動局装置識別情報解析手段を備える。例えば、無線中継装置の解析手段は、移動局装置識別情報取得手段により以前に取得された移動局装置の識別情報が取得されなくなったことに応じて、当該識別情報に対応する移動局装置が当該無線中継装置により中継を行う領域の中から外へ移動したことを検出する。
【０００８】
一構成例として、無線中継装置は、移動局装置識別情報取得手段により取得される移動局装置の識別情報を外部に対して出力する移動局装置識別情報出力手段を備える。例えば、移動局装置識別情報出力手段は、移動局装置の識別情報を外部の管理装置に対して出力する。
一構成例として、管理装置は、無線中継装置の移動局装置識別情報出力手段から出力される移動局装置の識別情報を入力する移動局装置識別情報入力手段や、移動局装置識別情報入力手段により入力される移動局装置の識別情報を記憶する移動局装置識別情報記憶手段や、移動局装置識別情報入力手段により入力される移動局装置の識別情報に基づく解析を行う移動局装置識別情報解析手段を備える。例えば、管理装置の解析手段は、移動局装置識別情報入力手段により以前に入力された移動局装置の識別情報が入力されなくなったことに応じて、当該識別情報に対応する移動局装置が無線中継装置により中継を行う領域の中から外へ移動したことを検出する。
【０００９】
また、無線中継装置と管理装置との間の通信としては、無線通信或いは有線通信が用いられる。
また、管理装置としては、例えば、コンピュータなどの情報処理装置から構成される。
一構成例として、管理装置は、無線中継装置に対して移動局装置の識別情報の送信を要求する移動局装置識別情報送信要求手段を備える。一構成例として、無線中継装置の移動局装置識別情報出力手段は、管理装置の移動局装置識別情報送信要求手段による要求に応じて、移動局装置識別情報記憶手段に記憶された移動局装置の識別情報を管理装置に対して出力する。
【００１０】
以下で、無線中継装置に関して、他の構成例を示す。
一例として、基地局装置と移動局装置との間で通信される信号を中継する無線中継装置において、
基地局装置と移動局装置との間で通信される信号には移動局装置の識別情報が含まれており、
当該無線中継装置は、基地局装置と移動局装置との間で通信される信号を中継する通信信号中継手段と、
通信信号中継手段により中継される信号であって移動局装置から基地局装置への信号に当該無線中継装置の識別情報を付加する無線中継装置識別情報付加手段と、を備える。
ここで、無線中継装置の識別情報としては、種々な情報が用いられてもよく、例えば、各無線中継装置に固有な装置番号や管理番号の情報などを用いることができる。
【００１１】
また、一構成例として、基地局装置は、無線中継装置により中継される移動局装置からの信号に基づいて当該信号に含まれる送信元となる当該移動局装置の識別情報を取得する移動局装置識別情報取得手段や、無線中継装置により中継される移動局装置からの信号に基づいて当該信号に付加された無線中継装置の識別情報を取得する無線中継装置識別情報取得手段を備える。
また、一構成例として、基地局装置は、移動局装置識別情報取得手段により取得される移動局装置の識別情報を記憶する移動局装置識別情報記憶手段や、無線中継装置識別情報取得手段により取得される無線中継装置の識別情報を記憶する無線中継装置識別情報記憶手段を備える。
また、一構成例として、基地局装置は、移動局装置識別情報取得手段により取得される移動局装置の識別情報に基づく解析を行う移動局装置識別情報解析手段や、無線中継装置識別情報取得手段により取得される無線中継装置の識別情報に基づく解析を行う無線中継装置識別情報解析手段を備える。
【００１２】
また、一構成例として、基地局装置は、移動局装置識別情報取得手段により取得される移動局装置の識別情報を外部に対して出力する移動局装置識別情報出力手段や、無線中継装置識別情報取得手段により取得される無線中継装置の識別情報を外部に対して出力する無線中継装置識別情報出力手段を備える。例えば、移動局装置識別情報出力手段は移動局装置の識別情報を外部の管理装置に対して出力し、無線中継装置識別情報出力手段は無線中継装置の識別情報を外部の管理装置に対して出力する。
また、一構成例として、管理装置は、基地局装置の移動局装置識別情報出力手段から出力される移動局装置の識別情報を入力する移動局装置識別情報入力手段や、基地局装置の無線中継装置識別情報出力手段から出力される無線中継装置の識別情報を入力する無線中継装置識別情報入力手段や、移動局装置識別情報入力手段により入力される移動局装置の識別情報を記憶する移動局装置識別情報記憶手段や、無線中継装置識別情報入力手段により入力される無線中継装置の識別情報を記憶する無線中継装置識別情報記憶手段や、移動局装置識別情報入力手段により入力される移動局装置の識別情報に基づく解析を行う移動局装置識別情報解析手段や、無線中継装置識別情報入力手段により入力される無線中継装置の識別情報に基づく解析を行う無線中継装置識別情報解析手段を備える。
【００１３】
また、基地局装置と管理装置との間の通信としては、無線通信或いは有線通信が用いられる。
また、管理装置としては、例えばコンピュータなどの情報処理装置から構成される。
一構成例として、管理装置は、基地局装置に対して移動局装置の識別情報の送信を要求する移動局装置識別情報送信要求手段や、基地局装置に対して無線中継装置の識別情報の送信を要求する無線中継装置識別情報送信要求手段を備える。一構成例として、基地局装置の移動局装置識別情報出力手段は、管理装置の移動局装置識別情報送信要求手段による要求に応じて、移動局装置識別情報記憶手段に記憶された移動局装置の識別情報を管理装置に対して出力し、また、基地局装置の無線中継装置識別情報出力手段は、管理装置の無線中継装置識別情報送信要求手段による要求に応じて、無線中継装置識別情報記憶手段に記憶された無線中継装置の識別情報を管理装置に対して出力する。
【発明の効果】
【００１４】
以上説明したように、本発明に係る無線中継装置によると、基地局装置と移動局装置との間で通信される信号を中継するに際して、当該信号に含まれる移動局装置の識別情報を取得するようにしたため、信号の中継対象となる移動局装置の変動の様子などを把握することが可能となり、例えば、信号の中継対象となる移動局装置の個体識別や、信号の中継対象となる移動局装置の数の検出などが可能となる。
【発明を実施するための最良の形態】
【００１５】
本発明に係る実施例を図面を参照して説明する。
まず、一般的な移動通信システムの構成例を示す。
図６には、移動通信システムの構成例として、無線通信を行う基地局装置Ｂ１１と、閉空間Ｒ１１に設置されて運用される無線中継装置であるブースタ装置Ａ１１と、閉空間Ｒ１２に設置されて運用される無線中継装置である中継器Ａ１２と、基地局装置Ｂ１１と中継器Ａ１２とを接続する有線の通信路Ｃ１を示してある。
ここで、基地局装置Ｂ１１は、アンテナ３４を備えており、当該アンテナ３４により無線（ＲＦ：Radio Frequency）信号を通信する。
また、ブースタ装置Ａ１１は、屋外アンテナ３１と屋内アンテナ３２を備えており、屋外アンテナ３１により基地局装置Ｂ１１との間で無線信号を通信し、屋内アンテナ３２により閉空間Ｒ１１内で無線信号を通信する。
また、中継器Ａ１２は、屋内アンテナ３３を備えており、通信路Ｃ１を介して基地局装置Ｂ１１との間で信号を通信し、屋内アンテナ３３により閉空間Ｒ１２内で無線信号を通信する。
【００１６】
また、図６には、移動通信システムの構成例として、基地局装置Ｂ１１により無線信号を通信することが可能な領域に存する移動局装置（ＭＳ：Mobile Station）ＭＳ１１、ＭＳ１２と、ブースタ装置Ａ１１により無線信号を通信することが可能な領域（閉空間Ｒ１１）に存する移動局装置ＭＳ１３、ＭＳ１４と、中継器Ａ１２により無線信号を通信することが可能な領域（閉空間Ｒ１２）に存する移動局装置ＭＳ１５、ＭＳ１６を示してある。
ここで、移動局装置ＭＳ１１〜ＭＳ１６としては、例えば、ＰＤＣ（Personal Digital Cellular）やＰＨＳ（Personal Handy phone System）などの移動体無線端末装置が用いられる。
なお、それぞれの閉空間Ｒ１１、Ｒ１２は、基地局装置Ｂ１１から無線送信される電波が到達しない領域（不感地）を中継装置などにより通信可能とした領域に相当し、例えば、当該領域は他の通信可能な領域と重なることは無い。
【００１７】
ブースタ装置Ａ１１は、例えばビルなどの建物の屋外に屋外アンテナ３１を設置するとともに屋内に屋内アンテナ３２を設置して、基地局装置Ｂ１１と無線通信することが可能な領域（開空間）の無線信号を屋外アンテナ３１により送信或いは受信することで、当該無線信号を開空間と閉空間Ｒ１１との間で中継し、これにより、閉空間Ｒ１１内の移動局装置ＭＳ１３、ＭＳ１４が間接的に基地局装置Ｂ１１と通信することを可能とする。
具体的には、ブースタ装置Ａ１１では、基地局装置Ｂ１１から発せられる移動局装置ＭＳ１３、ＭＳ１４への信号を屋外アンテナ３１により受信して、当該信号を屋内アンテナ３２により無線送信することで、当該信号を閉空間Ｒ１１内の移動局装置ＭＳ１３、ＭＳ１４により受信可能とする。また、ブースタ装置Ａ１１では、閉空間Ｒ１１内の移動局装置ＭＳ１３、ＭＳ１４から発せられる基地局装置Ｂ１１への信号を屋内アンテナ３２により受信して、当該信号を屋外アンテナ３１により無線送信することで、当該信号を基地局装置Ｂ１１により受信可能とする。
【００１８】
中継器Ａ１２は、開空間から閉空間Ｒ１２への信号の中継や、閉空間Ｒ１２から開空間への信号の中継を行うことにより、閉空間Ｒ１２内の移動局装置ＭＳ１５、ＭＳ１６が間接的に基地局装置Ｂ１１と通信することを可能とする。本例の中継器Ａ１２の場合、屋内アンテナ３３を用いて閉空間Ｒ１２内で無線通信する構成については例えばブースタ装置Ａ１１と同様であるが、基地局装置Ｂ１１と当該中継器Ａ１２との間の通信路Ｃ１としては自由空間ではなく自由空間以外の通信路（例えば、有線の専用媒体）を介して信号を送受する。ここで、信号を伝送する通信路Ｃ１としては、例えば、金属のケーブルや、光ファイバなどが用いられる。
【００１９】
次に、本発明の一実施例に係る無線中継装置を説明する。
本例では、図６に示されるブースタ装置Ａ１１や中継器Ａ１２が移動局装置ＭＳ１３〜ＭＳ１６からの信号を受信する点に着目しており、ブースタ装置Ａ１１や中継器Ａ１２において、移動局装置ＭＳ１３〜ＭＳ１６からの無線信号内に存在する信号から、当該移動局装置ＭＳ１３〜ＭＳ１６を識別することが可能な信号を取り出すことが可能である点に着目した。これにより、例えば、いずれの移動局装置がそれぞれの閉空間Ｒ１１、Ｒ１２内に存在するかということや、何台の移動局装置がそれぞれの閉空間Ｒ１１、Ｒ１２内に存在するかということなどを把握することが可能となる。なお、本例では、移動局装置から基地局装置に対して無線送信される信号には、当該移動局装置を識別することが可能な情報の信号（識別信号）が含まれるとする。
【００２０】
図１には、本発明の一実施例に係る無線中継装置であるブースタ装置Ａ１の構成例と、外部装置Ａ２の一例を示してある。なお、本例では、例えば図６に示されるようなブースタ装置Ａ１１に本発明を適用した装置の例を示すが、例えば図６に示されるような中継器Ａ１２に本発明を適用することも可能である。
図１に示されるように、本例のブースタ装置Ａ１は、例えば建物の屋外に設置されるアンテナ（屋外アンテナ）１と、例えば当該建物の屋内に設置されるアンテナ（屋内アンテナ）２と、屋外アンテナ１側の送受分波器（ＤＵＰ）３と、基地局装置から移動局装置への方向（下り方向）の信号を増幅する増幅器（アンプ）４と、屋内アンテナ２側の送受分波器（ＤＵＰ）５と、方向性結合器（ＣＰＬ：Coupler）６と、移動局装置から基地局装置への方向（上り方向）の信号を増幅する増幅器（アンプ）７と、復号器（ＤＥＭ：Demodulator）８と、検出器９と、入出力装置１０を備えている。
ここで、屋外アンテナ１、屋内アンテナ２、２つの送受分波器３、５、及び２つの増幅器４、７の構成や動作は、概略的には、従来のものと同様である。
また、本例の無線中継装置であるブースタ装置Ａ１は、信号を中継するに際して当該信号を増幅器４、７により増幅する中継増幅装置である。
【００２１】
本例のブースタ装置Ａ１に備えられた各処理部１〜１０により行われる動作の一例を示す。
屋外アンテナ１は、基地局装置から無線により送信される信号を受信し、また、基地局装置に対して信号を無線により送信する。
屋内アンテナ２は、所定の領域（閉空間）に存在する移動局装置から無線により送信される信号を受信し、また、当該所定の領域（閉空間）に存在する移動局装置に対して信号を無線により送信する。
それぞれの送受分波器３、５は、送信信号（送信波）と受信信号（受信波）を分離する機能を有しており、例えば、送信周波数を通過帯域に有するバンドパスフィルタ（ＢＰＦ）と受信周波数を通過帯域に有するバンドパスフィルタ（ＢＰＦ）を組み合わせて有しており、それぞれのアンテナ１、２を送受信で共用することを可能とする。
それぞれの増幅器４、７は、中継対象となる下りの信号或いは中継対象となる上りの信号を増幅する。
【００２２】
具体的には、基地局装置から無線送信される信号（下り信号）は、屋外アンテナ１により受信されて、送受分波器３により分離されて増幅器４へ送られ、当該増幅器４により増幅された後に、送受分波器５を経由して屋内アンテナ２から無線により閉空間に対して送出される。また、閉空間に存在する移動局装置から無線送信される信号（上り信号）は、屋内アンテナ２により受信されて、送受分波器５により分離されて方向性結合器６を介して増幅器７へ送られ、当該増幅器７により増幅された後に、送受分波器３を経由して屋外アンテナ１から無線により送出される。
なお、本例では、それぞれの送受分波器３、５によりそれぞれのアンテナ１、２を送受で共用することが可能な構成としたが、他の構成例として、屋外アンテナ１或いは屋内アンテナ２として送信用のアンテナと受信用のアンテナとの両方（２本のアンテナ）を備えて、送受分波器を備えないような構成とすることも可能である。
【００２３】
方向性結合器６は、送受分波器５と増幅器７との間に備えられており、送受分波器５から増幅器７へ出力される信号の一部を取り出して復号器８へ出力する、つまり、屋内（閉空間内）に存在する移動局装置から無線受信される信号（上り信号）の一部を取り出して復号器８へ出力する。
復号器８は、方向性結合器６から入力される無線周波数の信号を検波復調してベースバンドの信号へ変換し、当該ベースバンド信号を検出器９へ出力する。
検出器９は、復号器８から入力されるベースバンド信号の列から同期信号のパターンや移動局装置の識別信号部分を取り出し、例えば、メモリ（図示せず）に当該識別信号を記憶することや、当該識別信号を入出力装置１０へ出力することを行う。一例として、検出器９は、位相比較器や、シフトレジスタや、比較回路や、タイマなどを用いて構成される。
入出力装置１０は、ブースタ装置Ａ１の外部の装置（本例では、外部装置Ａ２）との間で情報を通信するインタフェース（ＩＦ）機能をしており、例えば、シリアルインタフェースなどを用いて構成される。また、入出力装置１０は、例えば、検出器９から移動局装置の識別信号が入力されることに応じて当該移動局装置識別信号の情報を外部装置Ａ２に対して出力し、或いは、外部装置Ａ２からの要求に応じて、メモリ（図示せず）に記憶してある移動局装置識別信号の情報を外部装置Ａ２に対して出力する。
【００２４】
外部装置Ａ２は、例えばパーソナルコンピュータ（ＰＣ）などの情報処理装置から構成されており、ブースタ装置Ａ１の入出力装置１０から出力される移動局装置の識別信号の情報を入力して、例えば、メモリ（図示せず）に当該移動局装置識別信号の情報を記憶することや、当該移動局装置識別信号の情報を用いて様々なサービスに係る処理を実行して様々なサービスをユーザなどへ提供することを行う。ここで、外部装置Ａ２としては、特に限定はなく、種々な機器が用いられてもよい。また、外部装置Ａ２は、例えば、ブースタ装置Ａ１の入出力装置１０に対して、移動局装置識別信号の情報の送信を要求する信号を出力することも可能である。また、ブースタ装置Ａ１の入出力装置１０と外部装置Ａ２とは、例えば、無線モジュール或いは有線モジュールにより、接続されている。
なお、本例では、屋内の移動局装置から屋外の基地局装置へ向けた無線信号に当該屋内の移動局装置の識別信号が含まれる場合に、当該無線信号から当該識別信号を抽出する構成を示したが、他の構成例として、屋外の基地局装置から屋内の移動局装置へ向けた無線信号に当該屋内の移動局装置の識別信号が含まれる場合に、当該無線信号から当該識別信号を抽出する構成を使用することも可能である。
【００２５】
本例のブースタ装置Ａ１により使用される無線信号の通信方式を示す。
本例では、周波数分割多重（ＦＤＤ：Frequency Division Duplication）方式により上りと下りとでそれぞれ別々の周波数を用いて無線通信が行われ、及び、上りと下りのそれぞれでは時分割多重接続（ＴＤＭＡ：Time Division Multiple Access）方式が用いられる。
また、本例では、屋内の移動局装置から屋外の基地局装置への信号の中に、同期信号、及び、移動局の識別信号が含まれる。
図２には、本例の無線通信方式による上り信号のフォーマットの一例を示してある。
具体的には、上り信号では、スロットと呼ばれる一定の時間が各移動局装置に割り当てられる。また、割り当てられた各スロット内の信号は、同期用の信号（同期信号）と、移動局装置の識別信号と、ユーザデータ（Ｕｓｅｒ  Ｄａｔａ）の信号を含む。そして、本例では、同期信号によって上り信号を時間的に同期受信することにより、移動局装置識別信号の位置を把握することができるとする。なお、図２では、移動局装置ＭＳ１から無線送信される１スロット分の上り信号Ｐ１と、移動局装置ＭＳ２から無線送信される１スロット分の上り信号Ｐ２と、移動局装置ＭＳ３から無線送信される１スロット分の上り信号Ｐ３を示してあり、各上り信号Ｐ１〜Ｐ３には各移動局装置ＭＳ１〜ＭＳ３の識別信号が含まれている。
【００２６】
図３を参照して、本例のブースタ装置Ａ１を適用した移動通信システムの具体例を示す。
図３には、本例のブースタ装置Ａ１を適用した移動通信システムの構成例として、アンテナ２１を備えた基地局装置Ｂ１と、本例のブースタ装置Ａ１と、外部装置Ａ２と、複数の移動局装置ＭＳ１〜ＭＳ３を示してある。また、図３には、本例のブースタ装置Ａ１の屋内アンテナ２との間で無線信号を通信することが可能な領域（閉空間）Ｒ１や、移動局装置ＭＳ１が移動する前における当該移動局装置ＭＳ１の存在位置（移動局装置ＭＳ１ａ）や、移動局装置ＭＳ２が移動する前における当該移動局装置ＭＳ２の存在位置（移動局装置ＭＳ２ａ）を示してある。
ここで、閉空間Ｒ１としては、例えばビルディングの地下を想定しており、ブースタ装置Ａ１の屋外アンテナ１は当該ビルディングの外壁に設置されており、屋内アンテナ２は当該ビルディングの地下に設置されている。
【００２７】
図３に示されるように、各移動局装置ＭＳ１〜ＭＳ３が閉空間Ｒ１を出入りすることが可能であるとする。
（１）移動局装置ＭＳ１が閉空間Ｒ１の外側から内側へ移動して、閉空間Ｒ１の内に３つの移動局装置ＭＳ１、ＭＳ２、ＭＳ３が存在する状態であるとする。
この場合、本例では、ＴＤＭＡ方式により図２に示されるようなスロット毎の信号Ｐ１〜Ｐ３が各移動局装置ＭＳ１〜ＭＳ３から無線により送信される。
ブースタ装置Ａ１では、屋内アンテナ２により、閉空間Ｒ１内の移動局装置ＭＳ１〜ＭＳ３からの上り信号を受信する。受信された無線信号は、送受分波器５により周波数分離されて、方向性結合器６により分波されて、復号器８に入力される。復号器８は、入力される無線周波数帯の信号をベースバンド信号へ変換して、検出器９の回路へ出力する。検出器９は、入力されるベースバンド信号からまず同期信号を探し、当該ベースバンド信号内に同期信号を見つけた場合には、当該同期信号から規定時間だけ離れたところにある移動局装置の識別信号を抽出する。抽出された移動局装置の識別信号は、入出力装置１０を経由して、外部装置Ａ２へ送信される。
外部装置Ａ２では、移動局装置の識別信号の情報などを管理するためのリスト（ＭＳ状態リスト）をメモリに記憶しており、本例では、ブースタ装置Ａ１から入力される移動局装置識別信号をＭＳ状態リストに記録することにより当該移動局装置識別信号に対応する移動局装置が閉空間Ｒ１内に存在していることを管理し、また、当該移動局装置識別信号を受信した時刻の情報をＭＳ状態リストに記録して管理する。
ここで、図４には、ＭＳ状態リストの記録内容の一例を示してある。本例では、３つの移動局装置ＭＳ１〜ＭＳ３のそれぞれについて、移動局装置識別信号とその受信時刻とが対応付けられて記録されている。
【００２８】
（２）上記の状態から、移動局装置ＭＳ２が閉空間Ｒ１の内側から外側へ移動して、閉空間Ｒ１の内に２つの移動局装置ＭＳ１、ＭＳ３が存在する状態へ変化したとする。
この場合、本例では、ブースタ装置Ａ１が移動局装置ＭＳ２からの上り信号を受信しなくなるため、移動局装置ＭＳ２の識別信号を受信しなくなり、このため、移動局装置ＭＳ２の識別信号を外部装置Ａ２へ送信しなくなる。
外部装置Ａ２では、例えば定期的なタイミングで、ＭＳ状態リストに記録されている移動局装置識別信号を最後に受信した時刻をＭＳ状態リストから読み出して、例えば１０分間などの一定時刻の間、当該移動局装置識別信号（本例では、移動局装置ＭＳ２の識別信号）がブースタ装置Ａ１から送信されて来ない場合には、該当する移動局装置（本例では、移動局装置ＭＳ２）は閉空間Ｒ１の外へ移動したものと判断して、ＭＳ状態リストから当該移動局装置に関する情報（移動局装置識別信号の情報や、受信時刻の情報）を削除する。
ここで、図５には、ＭＳ状態リストの記録内容の一例を示してある。本例では、閉空間Ｒ１内に残っている２つの移動局装置ＭＳ１、ＭＳ３のそれぞれについて、移動局装置識別信号とその受信時刻とが対応付けられて記録されている。
【００２９】
以上のように、本例の無線中継装置であるブースタ装置Ａ１では、中継する無線信号を復調する機能と、その信号情報から移動局装置ＭＳ１〜ＭＳ３の固有な識別信号を抽出する機能を有している。
また、本例のブースタ装置Ａ１では、抽出した移動局装置ＭＳ１〜ＭＳ３の固有な識別信号を当該ブースタ装置Ａ１の外部へ送信する機能を有している。
また、本例のブースタ装置Ａ１では、抽出した移動局装置ＭＳ１〜ＭＳ３の固有な識別信号を記憶する機能を有しており、外部装置Ａ２からの要求に応えて移動局装置ＭＳ１〜ＭＳ３の固有な識別信号の情報を送出する機能を有している。
また、本例のブースタ装置Ａ１では、例えば取得される移動局装置ＭＳ１〜ＭＳ３の識別信号を管理することにより、中継する領域内に存在する移動局装置ＭＳ１〜ＭＳ３が当該領域の外へ移動したことを検出する機能を有している。
本例の外部装置Ａ２では、ブースタ装置Ａ１と接続する機能と、移動局装置ＭＳ１〜ＭＳ３の固有な識別信号の情報を取得する機能を有している。
また、本例の外部装置Ａ２では、例えば取得される移動局装置ＭＳ１〜ＭＳ３の識別信号を管理することにより、接続されたブースタ装置Ａ１により中継される領域内に存在する移動局装置ＭＳ１〜ＭＳ３が当該領域の外へ移動したことを検出する機能を有している。
具体的には、本例では、ブースタ装置Ａ１の上位の装置として外部装置Ａ２を設け、ブースタ装置Ａ１により取得した移動局装置ＭＳ１〜ＭＳ３の識別信号などの情報を所望の管理者の外部装置Ａ２へ送信する構成とした。
【００３０】
従って、本例の無線中継装置であるブースタ装置Ａ１では、閉空間Ｒ１に対する中継を行う構成において、各移動局装置ＭＳ１〜ＭＳ３を識別する情報を取得することにより、移動局装置ＭＳ１〜ＭＳ３の個体識別を行うことができ、当該識別の結果を様々な態様で利用することが可能である。具体的には、例えば、閉空間Ｒ１内に存在する移動局装置ＭＳ１〜ＭＳ３を識別することが可能であるとともに、閉空間Ｒ１内に存在する移動局装置ＭＳ１〜ＭＳ３の数などを把握することができる。
例えば、オフィスでは、入退社時刻を管理することや、移動局装置ＭＳ１〜ＭＳ３を携帯する人物が所属する部署に基づいてエレベータ稼動の最適化を行うことや、未登録の移動局装置（未登録の移動局装置識別信号）に基づいて侵入検知を行うことなどが可能である。また、移動局装置の数を知ることが可能となると、店舖等の客数を数えることが可能であり、また、車載用の移動局装置を用いることにより、地下の駐車場の駐車台数を管理することが可能となる。
【００３１】
なお、本例のブースタ装置（無線中継装置）Ａ１では、屋外アンテナ１や屋内アンテナ２や送受分波器３、５や増幅器４、７により通信信号を中継する機能により通信信号中継手段が構成されており、方向性結合器６や復号器８や検出器９により中継する信号に含まれる移動局装置ＭＳ１〜ＭＳ３の識別情報を取得する機能により移動局装置識別情報取得手段が構成されている。また、本例のブースタ装置Ａ１では、屋外アンテナ１を用いて受信や送信を行う機能により第１の無線受信手段や第２の無線送信手段が構成されており、屋内アンテナ２を用いて受信や送信を行う機能により第２の無線受信手段や第１の無線送信手段が構成されており、方向性結合器６の機能により中継信号一部取得手段が構成されており、復号器８の機能により中継信号一部復調手段が構成されており、検出器９の機能により移動局装置識別情報検出手段が構成されており、移動局装置ＭＳ１〜ＭＳ３の識別情報をメモリに記憶する機能により移動局装置識別情報記憶手段が構成されており、移動局装置ＭＳ１〜ＭＳ３の識別情報に基づく解析を行う機能により移動局装置識別情報解析手段が構成されている。また、本例のブースタ装置Ａ１では、入出力装置１０の機能により移動局装置識別情報出力手段が構成されている。
また、本例の管理装置である外部装置Ａ２では、移動局装置ＭＳ１〜ＭＳ３の識別情報をブースタ装置Ａ１から入力する機能により移動局装置識別情報入力手段が構成されており、移動局装置ＭＳ１〜ＭＳ３の識別情報をメモリに記憶する機能により移動局装置識別情報記憶手段が構成されており、移動局装置ＭＳ１〜ＭＳ３の識別情報に基づく解析を行う機能により移動局装置識別情報解析手段が構成されている。また、本例の外部装置Ａ２では、ブースタ装置Ａ１に対して移動局装置ＭＳ１〜ＭＳ３の識別情報を送信するように要求する機能により移動局装置識別情報送信要求手段が構成されている。
【００３２】
ここで、本例では、無線中継装置が中継対象となる信号から移動局装置の識別信号を抽出する構成としたが、他の種々な構成を用いることも可能である。
一例として、無線中継装置に例えば管理番号などの識別情報を付与して、移動局装置からの上り信号が当該無線中継装置を通る際に当該上り信号のデータを１度加工して、当該上り信号の所望の位置に当該無線中継装置の管理番号などを付与し、これにより生成される上り信号を基地局装置に対して送るような構成を用いることができる。この構成では、基地局装置において、受信される上り信号に含まれる移動局装置識別信号に対応する移動局装置が、当該上り信号に含まれる管理番号などに対応する無線中継装置の閉空間に存在することを把握することができる。
【００３３】
ここで、本発明に係る無線中継装置や基地局装置や移動局装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。例えば、本発明は、携帯電話システムや簡易型携帯電話システム（ＰＨＳ）などの移動通信システムに適用される。
また、本発明に係る無線中継装置や基地局装置や移動局装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３４】
【図１】本発明の一実施例に係る無線中継装置であるブースタ装置の構成例を示す図である。
【図２】上りの無線信号のフォーマットの一例を示す図である。
【図３】移動通信システムの構成例を示す図である。
【図４】移動局装置の識別信号に関するリストの一例を示す図である。
【図５】移動局装置の識別信号に関するリストの一例を示す図である。
【図６】移動通信システムの構成例を示す図である。
【図７】無線中継装置であるブースタ装置の構成例を示す図である。
【符号の説明】
【００３５】
Ａ１、Ａ１１・・ブースタ装置、  Ａ２・・外部装置、  Ａ１２・・中継器、  Ｂ１、Ｂ１１・・基地局装置、  Ｃ１・・通信路、  ＭＳ１〜ＭＳ３、ＭＳ１ａ、ＭＳ２ａ、ＭＳ１１〜ＭＳ１６・・移動局装置、  Ｒ１、Ｒ１１、Ｒ１２・・閉空間、  １、３１、４１・・屋外アンテナ、  ２、３２、３３、４２・・屋内アンテナ、  ３、５、４３、４５・・送受分波器、  ４、７、４４、４６・・増幅器、  ６・・方向性結合器、  ８・・複合器、  ９・・検出器、  １０・・入出力装置、  ２１・・アンテナ、
【図１】
2005167791.tif 000003
【図２】
2005167791.tif 000004
【図３】
2005167791.tif 000005
【図４】
2005167791.tif 000006
【図５】
2005167791.tif 000007
【図６】
2005167791.tif 000008
【図７】
2005167791.tif 000009